(57)【特許請求の範囲】
【請求項１】
２種類の内容物をまとめて収容した単一のエアゾール容器、或いは２種類の内容物を別々に収容したエアゾール容器対のマウンティングカップに装着される固定盤と、
各ステムから吐出される内容物を個別に通す２つの連結孔を備える天壁、及び上方へ向けて延在するとともに外周面に鍔状部を備える棒状部を有する連結部材と、
前記棒状部、鍔状部、及び２つの連結孔を取り囲んで内容物の通路を形成する内筒部を有するカバーと、
前記通路からの内容物を外界に向けて吐出させるスリット状の吐出口を有するとともに吐出した内容物を対象物に塗布する櫛部を有する塗布部材とを備えるエアゾール容器用吐出具であって、
前記櫛部は、複数の櫛歯が列状に並ぶ櫛歯列を備え、
前記鍔状部は、半円状をなし一方の端部が他方の端部よりも上方に位置するように傾斜させた半円片が前記棒状部を中心として上下方向位置を同一とした点対称の関係で設けられる半円片対で構成されるものであって、最上方に位置する該半円片が該櫛歯列と同方向に並ぶエアゾール容器用吐出具。
【請求項２】
前記櫛部は、前記吐出口を間に挟んで前記櫛歯列を一対以上有するものである請求項１に記載のエアゾール容器用吐出具。
【請求項３】
前記櫛部は、前記吐出口の両端部の外側に前記櫛歯を有する請求項２に記載のエアゾール容器用吐出具。
【発明の詳細な説明】
【技術分野】
【０００１】
本発明は、エアゾール容器のマウンティングカップに装着されるエアゾール容器用吐出具に関するものであり、特に、２種類の内容物を一度に吐出する吐出具に関する。
【背景技術】
【０００２】
従来、２液タイプの毛染め剤や整髪剤等を収容するエアゾール容器においては、２種類の内容物を一度に吐出する吐出具として、例えば特許文献１に示される如きものが用いられている。特許文献１に記載の吐出具は、概略、蓋体と櫛体とから構成されるものであり、蓋体及び櫛体の内側に設けられた内容物の通路には、軸部の軸線に沿って３種類の円環部を設けた部材を配置している。そして、かかる部材で内容物の流れを乱すことによって、２種類の内容物の混合を促進するとしている。
【０００３】
また特許文献２には、内容物の通路に配置される部材として、棒状部の外周面に螺旋状に延在する鍔状部を設けるとともに鍔状部の一部に欠落域を設けた内容物混合用の通路部材が示されている。そして、内容物の螺旋状の流れに対し、この流れから分流する欠落域を通る流れが隣の螺旋状の流れに交わることで、内容物を十分に混合することができるとしている。
【先行技術文献】
【特許文献】
【０００４】
【特許文献１】特許第５１１３４０９号公報
【特許文献２】特許第４２９０９４１号公報
【発明の概要】
【発明が解決しようとする課題】
【０００５】
しかしながら内容物の種類等によっては、吐出具内で十分に混合されずに内容物が吐出されることがある。そして内容物の通路に配置される部材として、例えば棒状部の外周面に鍔状部を設けるものであって、鍔状部が、傾いた半円状の部材（半円片）が棒状部を中心として点対称の関係で設けられる半円片対で構成されるものにあっては、図９（ａ）に例示するように、２種類の内容物が櫛歯の列に沿って交互に並ぶようにして吐出されることがあった。ここで、吐出した内容物を髪等の対象物に対して梳かしながら塗布するには、エアゾール容器を、髪等の流れに対して櫛歯が並ぶ方向が直角になる向きで動かすことが通常であるため（図９（ａ）参照）、交互に吐出された内容物は、ほとんど混ざり合うことなく対象物に塗布されることになる。このため、２種類の内容物がムラになって塗布されることがあった。
【０００６】
本発明は、このような点を解決することを課題とするものであり、２種類の内容物が塗布具内で十分に混合されなくても、髪等の対象物に塗布すれば、これらの内容物が十分に混ざり合う、新たなエアゾール容器用吐出具を提案することを目的とする。
【課題を解決するための手段】
【０００７】
本発明は、２種類の内容物をまとめて収容した単一のエアゾール容器、或いは２種類の内容物を別々に収容したエアゾール容器対のマウンティングカップに装着される固定盤と、
各ステムから吐出される内容物を個別に通す２つの連結孔を備える天壁、及び上方へ向けて延在するとともに外周面に鍔状部を備える棒状部を有する連結部材と、
前記棒状部、鍔状部、及び２つの連結孔を取り囲んで内容物の通路を形成する内筒部を有するカバーと、
前記通路からの内容物を外界に向けて吐出させるスリット状の吐出口を有するとともに吐出した内容物を対象物に塗布する櫛部を有する塗布部材とを備えるエアゾール容器用吐出具であって、
前記櫛部は、複数の櫛歯が列状に並ぶ櫛歯列を備え、
前記鍔状部は、半円状をなし一方の端部が他方の端部よりも上方に位置するように傾斜させた半円片が前記棒状部を中心として上下方向位置を同一とした点対称の関係で設けられる半円片対で構成されるものであって、最上方に位置する該半円片が該櫛歯列と同方向に並ぶエアゾール容器用吐出具である。
【０００８】
前記櫛部は、前記吐出口を間に挟んで前記櫛歯列を一対以上有するものであることが好ましい。
【０００９】
前記櫛部は、前記吐出口の両端部の外側に前記櫛歯を有することが好ましい。
【発明の効果】
【００１０】
本発明者が検討を重ねたところ、スリット状の吐出口を有するとともに櫛部を有する塗布部材を備え、また内容物の通路に配置される部材として、棒状部の外周面に鍔状部を設けるものであって、鍔状部は、半円状をなし一方の端部が他方の端部よりも上方に位置するように傾斜させた半円片が前記棒状部を中心として点対称の関係で設けられる半円片対で構成されるものを備えるエアゾール容器用吐出具にあっては、塗布部材に設けた複数の櫛歯が列状に並ぶ櫛歯列に対して、最上方に位置する半円片が、櫛歯列と同方向に並ぶように構成することで、内容物を櫛歯列に沿って吐出できることを見出した。すなわち、２種類の内容物が十分に混合されなくても、２種類の内容物は櫛歯列に沿って吐出されるので、通常通りに髪等の流れに対して櫛歯列の延在する方向が直角になる向きでエアゾール容器を動かせば、内容物を十分に混ぜ合わせながら塗布することができる。
【００１１】
櫛部が、吐出口を間に挟んで櫛歯列を一対以上有する場合は、吐出口から吐出させた内容物がこぼれ落ちないようにこれらの櫛歯列で保持することができるので、使い勝手が良くなる。
【００１２】
櫛歯列に加えて、吐出口の両端部の外側に櫛歯を有する場合は、吐出口は櫛歯列及び櫛歯で取り囲まれるため、内容物がよりこぼれ落ちにくくなって使い勝手がさらに良くなる。
【図面の簡単な説明】
【００１３】
【図１】本発明に従うエアゾール容器用吐出具の一実施形態を、単一のエアゾール容器に装着した状態で示す正面視での断面図である。
【図２】図１に示すエアゾール容器用吐出具の側面視での断面図である。
【図３】図１に示すエアゾール容器用吐出具の平面図である。
【図４】連結部材を開状態にした図であり、（ａ）は下面図であり、（ｂ）は（ａ）に示すＢ−Ｂに沿う断面図である。
【図５】連結部材を開状態にした斜視図である。
【図６】図２に示すカバーを固定盤から取り外した状態を示す側面図である。
【図７】カバーから連結部材を取り外した状態を示す側面図である。
【図８】図１に示すエアゾール容器用吐出具から吐出される内容物の状態を例示する、（ａ）は平面図であり、（ｂ）は図１のＡ−Ａに沿う断面図である。
【図９】最上方に位置する半円片の向きが櫛歯列の並ぶ方向に対して直交する場合での内容物の吐出状態を、図８に準じて示した図である。
【発明を実施するための形態】
【００１４】
以下、図面を参照して、本発明に従うエアゾール容器用吐出具をより具体的に説明する。なお、本明細書、特許請求の範囲及び要約書では、エアゾール容器に対してエアゾール容器用吐出具が位置する側を上方とし、その反対側を下方とする。
【００１５】
図１〜図３において、符号１は、本発明に従うエアゾール容器用吐出具（以下、「吐出具」と称する）の一実施形態を示す。吐出具１は、固定盤２と、連結部材３と、カバー４と、塗布部材５とから構成されている。また符号６は、吐出具１を装着する単一のエアゾール容器を示す。
【００１６】
エアゾール容器６は、例えば合成樹脂製となる有底筒状の容器本体１０に、例えば金属製となるマウンティングカップ１１の外縁を巻き締めして固着したものであって、容器本体１０の内側には２種類の内容物が別個に収容されている。本実施形態のマウンティングカップ１１は、容器本体１０に巻き締めした円環状部１２と、円環状部１２の上方に位置し、円周状の側面の一部を平面状にしたマウンティングカップ本体部１３とを有している。またエアゾール容器６は、それぞれの内容物の収容空間につながる総計２つのステム１４を有していて、２つのステム１４は、マウンティングカップ本体部１３から上方に向けて突出している。
【００１７】
固定盤２は、中央部に開口２０を設けて２つのステム１４を露出させた上壁２１と、マウンティングカップ本体部１３の側面を取り囲む円筒状の側壁２２とを備えている。本実施形態の側壁２２は、マウンティングカップ本体部１３の側面における平面状の部位に対応する位置にリブ２３を有していて（図２参照）、マウンティングカップ本体部１３に対して回転しないようにしている。また側壁２２の下端には、径方向外側に向けて延在するフランジ２４を設けていて、フランジ２４の下部には、円環状部１２を取り囲んで円環状部１２に抜け止め保持される嵌合壁２５を設けている。またフランジ２４の外側端には、フランジ２４に対して上下方向に延在する円筒状の外周壁２６を設けている。
【００１８】
連結部材３は、図４（ａ）、（ｂ）に示すように、下部部材３０と上部部材３１とを、薄肉状のヒンジ３２で一体に連結したものであり（図４（ａ）、（ｂ）は、連結部材３の開状態を示す）、ヒンジ３２で折り曲げることで、図１、２に示す閉状態にすることができる。
【００１９】
下部部材３０は、平板状をなす下部部材本体３３を備えている。下部部材本体３３の下方には、２つのステム１４のそれぞれに連結する２つの接続筒３４を設けていて、それぞれの接続筒３４の内側には、下部部材本体３３を貫いてステム１４から吐出させた内容物を通す貫通孔３５を設けている。また、下部部材本体３３の上方には、２つの貫通孔３５を取り囲む下部環状壁３６と、２つの貫通孔３５の間に位置する一対の下部仕切り壁３７とを設けている。そして、図１に示すように下部部材本体３３における両側の外側端には、下方に向けて延在する下部摘み部３８をそれぞれ設けている。また、下部摘み部３８の外面には、指掛かりとなる突起３８ａを設けている。
【００２０】
上部部材３１は、下部環状壁３６に液密に当接する上部環状壁３９を備えている。上部環状壁３９の外周面には、外側に向けて延在する一対の支持壁４０を設けていて（図２、図５参照）、各支持壁４０の外側端には、支持壁４０に対して上下方向に延在する上部摘み部４１を設けている。ここで、一方の上部摘み部４１には、その下端に前述のヒンジ３２を設けていて、他方の上部摘み部４１には、その下端に、連結部材３を閉状態にした際に下部部材本体３３に係合する爪部４２を設けている。また他方の上部摘み部４１には、その上方に、指掛かりとなる突起４１ａを設けている。
【００２１】
また、上部環状壁３９の上端には、中央部を上方に向けて筒状に突出させた天壁４３を設けている。また天壁４３の内側には、図１に示すように、対をなす下部仕切り壁３７の間に入り込む上部仕切り壁４４を設けている。そして天壁４３の上方には、上部仕切り壁４４を挟んで両側に、天壁４３を貫く孔（連結孔）４５を総計２つ設けている（図１、図５参照）。連結部材３を閉状態にした場合、下部部材３０と上部部材３１との間には、２つのステム１４からの内容物が、貫通孔３５から連結孔４５まで個別に流れる通路が形成されることになる。
【００２２】
また天壁４３には、連結孔４５の相互間から上方に向けて延在する円柱状の棒状部４６を設けている。そして棒状部４６の外周面には、図１、図５に示すように、半円片対４７で構成される鍔状部４８が設けられている。半円片対４７は、半円状をなす半円片４７ａを、その一方の端部４７ｂが他方の端部４７ｃよりも上方に位置するように傾斜した状態にし、さらに棒状部４６を中心として点対称の関係になるように配置したものである。本実施形態では、図５に示すように、最下方に位置する半円片対４７を、一方の端部４７ｂが連結孔４５に隣接するように位置させている。また最下方の直上に位置する半円片対４７は、最下方に位置する半円片対４７に対して傾斜方向を逆にしつつ、棒状部４６を中心に９０度ずれた位置に設けている。さらに最下方に位置する半円片対４７から数えて３つ目の半円片対４７（最上方に位置する半円片対４７）は、最下方に位置する半円片対４７と同方向になるように設けている。
【００２３】
図１に示すようにカバー４は、棒状部４６、鍔状部４８、及び２つの連結孔４５を取り囲んで天壁４３に液密に当接する円筒状の内筒部５０を備えている。すなわち、２つの連結孔４５を個別に通過した２種類の内容物は、鍔状部４８によって旋回しながら内筒部５０内を流れる。
【００２４】
また内筒部５０の上端には、外側に向けて延在する頂壁５１を設けていて、頂壁５１には、上方に向けて延在するカバー環状壁５２を設けている。また頂壁５１の中央部には、内筒部５０の内側に通じるカバー貫通孔５３を設けている。さらに頂壁５１の外側端には、内筒部５０を取り囲んで下方に向けて延在し、マウンティングカップ１１を覆い隠すとともに固定盤２の側壁２２と外周壁２６との間に入り込む外筒部５４を設けている（図１参照）。また外筒部５４には、下方から上方に向けて外筒部５４を切り欠く切り欠き部５５を設けていて、この切り欠き部５５に下部摘み部３８を収めている。本実施形態の切り欠き部５５は、マウンティングカップ１１を間に挟んで一対設けられている。本実施形態の下部摘み部３８、切り欠き部５５は、外周壁２６によって覆い隠されているので、見映えが良くなる。
【００２５】
さらに図２に示すように外筒部５４は、径方向外側に広がった後、下方に向けて延在する一対の操作片５６を備えている。操作片５６の内面には、傾斜部５７を設けている。ここで、操作片５６は、外側から押圧することで傾斜部５７が外周壁２６の下端に当接するように構成されている。そして、操作片５６を外側から押圧すると、カバー４は傾斜部５７に沿って下方に移動し、これによって連結部材３、及び２つのステム１４を下方に押し下げることができる。
【００２６】
塗布部材５は、頂壁５１の上方に設けられるとともに塗布部材５に嵌合保持されるドーム状壁６０を備えている。ドーム状壁６０の下面には、カバー環状壁５２と液密に当接する塗布部材環状壁６１を設けている。ドーム状壁６０の中央部には、カバー貫通孔５３を通過した内容物を外界に向けて吐出させるスリット状の吐出口６２を設けている。またドーム状壁６０には、吐出口６２から吐出させた内容物を、髪等の対象物に対して梳かしながら塗布するための櫛部６３を設けている。図３に示すように本実施形態の櫛部６３は、大径の櫛歯６３ａを吐出口６２の延在する向きに列状に並べた大径櫛歯列６３ｂを備えていて、大径櫛歯列６３ｂは、吐出口６２を間に挟んで一対設けられている。また、吐出口６２の両端部の外側には、大径の櫛歯６３ａが１つずつ設けられている。さらに大径櫛歯列６３ｂの両外側には、小径の櫛歯６３ｃが、大径櫛歯列６３ｂと同方向に列状に並べられて一対の小径櫛歯列６３ｄを形成している。
【００２７】
ここで、鍔状部４８における最上方に位置する半円片４７ａは、図８（ａ）、（ｂ）に示すように、吐出口６２、大径櫛歯列６３ｂ、及び小径櫛歯列６３ｄと同方向に並んでいる。
【００２８】
このような構成になる吐出具１を用いてエアゾール容器６から内容物を吐出させるには、図２に示す操作片５６を外側から押圧する。これによって、カバー４が連結部材３及び２つのステム１４とともに下方に押し下げられる。本実施形態では図１に示すように、カバー４の外筒部５４が、固定盤２の側壁２２と外周壁２６との間に入り込むため、外筒部５４は、カバー４を押し下げる際のガイドとして機能し、カバー４を真っ直ぐ押し下げることができる。
【００２９】
そして押し下げられたステム１４から吐出される２種類の内容物（内容物Ａ、Ｂ）は、貫通孔３５と連結孔４５とを通り抜け、内筒部５０に至る。内筒部５０内では、内容物Ａ、Ｂは鍔状部４８によって旋回しながら流れ、カバー貫通孔５３を介して吐出口６２から吐出される。ここで内筒部５０内を流れる際、内容物Ａ、Ｂが相手の内容物と十分に混ざり合わなければ、図５に示す矢印の如く２つの流れのままでカバー貫通孔５３へ向い、図８（ａ）に例示するように、相互に分かれたまま吐出されてしまうおそれがある。但しこの場合であっても、内容物Ａ、Ｂは、大径櫛歯列６３ｂ、及び小径櫛歯列６３ｄに対して平行に吐出される（図では横方向）ため、通常通り、髪等の対象物の流れに対して大径櫛歯列６３ｂ、及び小径櫛歯列６３ｄの延在する方向が直角になる向き（図では縦方向）でエアゾール容器を動かせば、内容物Ａ、Ｂを十分に混ぜ合わせながら塗布することができる。なお、図示した内容物Ａ、Ｂは、これらが大径櫛歯列６３ｂ及び小径櫛歯列６３ｄに対して平行に吐出されることを示す一例にすぎず、図示のような一列ずつに分かれて吐出される形態に限定されるものではない。
【００３０】
また、連結部材３を洗浄するにあたっては、図６に示すように、エアゾール容器６に対してカバー４を上方に引き上げる。これにより、固定盤２をエアゾール容器６に残したまま、カバー４を取り外すことができる。
【００３１】
外筒部５４に設けた一対の切り欠き部５５には、連結部材３の下部摘み部３８がそれぞれ収まっていることから、一方の手でカバー４を掴み、他方の手の指でこれらの下部摘み部３８を挟むようにして連結部材３を掴むことができる。そして、両方の手が互いに離れるようにすることで、図７に示すようにカバー４から連結部材３を取り外すことができる。なお、カバー４の内筒部５０内にも内容物が溜まっているが、内筒部５０には連結部材３の鍔状部４８が入り込んでおり、この鍔状部４８は複数の半円片対４７で構成されているため、カバー４から連結部材３を取り外すと、溜まった内容物を半円片対４７に絡みつかせながら掻き出すことができる。すなわち、内筒部５０内に溜まった大半の内容物を一度に取り除くことができるので、その後の内筒部５０の洗浄がより簡単になる。
【００３２】
取り外した連結部材３は、一方の手の指で下部部材３０に設けた一対の下部摘み部３８を挟むようにして掴み、他方の手の指で上部部材３１に設けた一対の上部摘み部４１の上方を挟むようにして掴めば、下部部材本体３３に係合していた爪部４２が外れて、図４に示すように開状態にすることができる。これにより、連結部材３の内部を洗浄することができる。なお、下部摘み部３８に設けた突起３８ａ、及び上部摘み部４１に設けた突起４１ａは、指掛かりとして機能するので、カバー４から連結部材３を取り外す際や連結部材３を開く際の滑りを抑制することができる。
【００３３】
以上、本発明の構成とその作用効果を説明したが、本発明に従うエアゾール容器用吐出具は、上述した実施形態に限定されるものではなく、特許請求の範囲に従う範囲で種々の変更が可能である。例えば上述の実施形態では、単一のエアゾール容器に装着されるものとして説明したが、２種類の内容物を別々に収容したエアゾール容器を左右に並べた、エアゾール容器対に装着されるものであってもよい。また半円片対を３組設けているが、組数は適宜変更可能であって、１組でもよい。また櫛部は、上方に向けて延在しているが、カバーに対して塗布部材を傾けて取り付けるようにすることで、エアゾール容器に対して櫛部を傾けて延在させるようにしてもよい。また、上述した実施形態では、カバーと塗布部材は別の部材として構成したが、これらを一体連結させてもよい。さらに、上述した実施形態では、操作片を用いてカバーを押し下げるようにしたが、操作片を省略してカバーを直接押し下げるようにしてもよい。
【符号の説明】
【００３４】
１：エアゾール容器用吐出具（吐出具）
２：固定盤
３：連結部材
４：カバー
５：塗布部材
６：エアゾール容器
１０：容器本体
１１：マウンティングカップ
１２：円環状部
１３：マウンティングカップ本体部
１４：ステム
２０：開口
２１：上壁
２２：側壁
２３：リブ
２４：フランジ
２５：嵌合壁
２６：外周壁
３０：下部部材
３１：上部部材
３２：ヒンジ
３３：下部部材本体
３４：接続筒
３５：貫通孔
３６：下部環状壁
３７：下部仕切り壁
３８：下部摘み部
３８ａ：突起
３９：上部環状壁
４０：支持壁
４１：上部摘み部
４１ａ：突起
４２：爪部
４３：天壁
４４：上部仕切り壁
４５：連結孔
４６：棒状部
４７：半円片対
４７ａ：半円片
４７ｂ：一方の端部
４７ｃ：他方の端部
４８：鍔状部
５０：内筒部
５１：頂壁
５２：カバー環状壁
５３：カバー貫通孔
５４：外筒部
５５：切り欠き部
５６：操作片
５７：傾斜部
６０：ドーム状壁
６１：塗布部材環状壁
６２：吐出口
６３：櫛部
６３ａ：大径の櫛歯
６３ｂ：大径櫛歯列
６３ｃ：小径の櫛歯
６３ｄ：小径櫛歯列
【図１】
0006462451.tif 000002
【図２】
0006462451.tif 000003
【図３】
0006462451.tif 000004
【図４】
0006462451.tif 000005
【図５】
0006462451.tif 000006
【図６】
0006462451.tif 000007
【図７】
0006462451.tif 000008
【図８】
0006462451.tif 000009
【図９】
0006462451.tif 000010